(57)【要約】 【課題】遊技球が整然と移動し、相互にぶつかりにくく、効率的に遊技球を受け止めて送出できるようにした遊技球誘導装置を提供する。【解決手段】両側の流入口２１が接続する受入部２０と、受入部２０を経た遊技球を研磨揚送装置２へ流出させる送出部５０とを上下に重ねて備え、受入部２０は、底板３０の中央部の異物取出部３１と、その両外側の受入選別部３５とを備え、異物取出部３１と受入選別部３５とは、両側の流入口２１から流入した遊技球を受け止めるよう略ハ字形に配された両側の緩衝板２５により仕切られ、緩衝板２５は、異物Ｂが前記受入選別部３５から前記異物取出部３１に移動できる程度の隙間Ｓを底板３０との間に有するよう配設され、受入選別部３５の底板３０には、遊技球を通過させて前記送出部５０に流下させる程度の選別孔３６が複数穿設され、送出部５０は、受入部２０の前記受入選別部３５の選別孔３６から流下した遊技球を前面の研磨揚送装置２へ誘導するよう配設されている。【選択図】図１
2005152386.tif 000002
【特許請求の範囲】
【請求項１】
遊技機島の略中央下部に配設され、両側から流入した遊技球を前面の研磨揚送装置の導入部へ流出させるようにした遊技球誘導装置において、
流入する遊技球を受け入れる両側の流入口が接続する受入部と、該受入部を経た遊技球を研磨揚送装置へ流出させる送出部とを上下に重ねて備え、
前記受入部は、底板の中央部の異物取出部と、その両外側の受入選別部とを備え、
前記異物取出部と前記受入選別部とは、前記両側の流入口から流入した遊技球を受け止めるよう略ハ字形に配された両側の緩衝板により仕切られ、
前記緩衝板は、異物が前記受入選別部から前記異物取出部に移動できる程度の隙間を前記底板との間に有するよう配設され、
前記受入選別部の底板には、遊技球を通過させて前記送出部に流下させる程度の選別孔が複数穿設され、
前記送出部は、前記受入部の前記受入選別部の選別孔から流下した遊技球を前面の研磨揚送装置へ誘導するよう配設されていることを特徴とする遊技球誘導装置。
【請求項２】
遊技機島の略中央下部に配設され、両側から流入した遊技球を前面の研磨揚送装置の導入部へ流出させるようにした遊技球誘導装置において、
流入する遊技球を受け入れる両側の流入口が接続する受入部と、該受入部を経た遊技球を研磨揚送装置へ流出させる送出部とを上下に重ねて備え、
前記受入部は、底板の中央部の異物取出部と、その両外側の受入選別部とを備え、
前記異物取出部と前記受入選別部とは、前記両側の流入口から流入した遊技球を受け止めるよう略ハ字形に配された両側の緩衝板により仕切られ、
前記緩衝板は、異物が前記受入選別部から前記異物取出部に移動できる程度の隙間を前記底板との間に有するよう配設され、
前記受入選別部の底板には、遊技球を通過させて前記送出部に流下させる程度で、前記流入口に近い入口側は内径が小さく後流は内径を大きくした選別孔が複数穿設され、
前記送出部は、前記受入部の前記受入選別部の選別孔から流下した遊技球を前面の研磨揚送装置へ誘導するよう配設されていることを特徴とする遊技球誘導装置。
【請求項３】
請求項１または２記載の遊技球誘導装置において、
前記送出部は、前記受入選別部から流下した遊技球を中央部の送出案内部へ誘導する誘導路を備え、該送出案内部は前記異物取出部の下方にあって遊技球の流下しない位置に配設されていることを特徴とする遊技球誘導装置。
【請求項４】
請求項３記載の遊技球誘導装置において、
前記誘導路は、前記受入選別部の下方に位置する受止部から送出案内部にかけて傾斜しており、該受止部から送出案内部に遊技球の向きを変える方向転換部を備えていることを特徴とする遊技球誘導装置。
【請求項５】
請求項１または２記載の遊技球誘導装置において、
前記受入部は、前記送出部を露出させるよう底板とともに開閉可能となっていることを特徴とする遊技球誘導装置。
【請求項６】
請求項１、２または５記載の遊技球誘導装置において、
前記受入部は、上部から内部の異物を取出し可能な取出口を有するカバー部材を備えていることを特徴とする遊技球誘導装置。
【発明の詳細な説明】
【技術分野】
【０００１】
本発明は、遊技機島の略中央下部に配設され、両側から流入した遊技球を前面の研磨揚送装置の導入部へ流出させるようにした遊技球誘導装置に関する。
【背景技術】
【０００２】
従来の技術としては、例えば特許文献１に示すようなものがある。  
すなわち、特許文献１の特開平１０−３０５１５７号公報には、両側の回収樋から流入した遊技球を前面の揚送研磨装置の導入部へ流出させるようにした遊技球誘導装置であって、両側から流入した遊技球を選別プレート上に導いて通過孔を通過させて選別し、落下した遊技球を整列板で受け止め、揚送研磨装置へ送出する技術が開示されている。
【０００３】
【特許文献１】特開平１０−３０５１５７号公報
【発明の開示】
【発明が解決しようとする課題】
【０００４】
しかしながら、このような従来の技術では、遊技球が乱雑に動きやすく、相互にぶつかって流れを乱し、効率的に遊技球を中継できないという問題点があった。
【０００５】
本発明は、このような従来の技術が有する問題点に着目してなされたもので、遊技球が整然と移動し、相互にぶつかりにくく、効率的に遊技球を受止めて送出できるようにした遊技球誘導装置を提供することを目的としている。
【課題を解決するための手段】
【０００６】
かかる目的を達成するための本発明の要旨とするところは、次の各項の発明に存する。
［１］  遊技機島（１）の略中央下部に配設され、両側から流入した遊技球を前面の研磨揚送装置（２）の導入部（３）へ流出させるようにした遊技球誘導装置（１０）において、
流入する遊技球を受け入れる両側の流入口（２１）が接続する受入部（２０）と、該受入部（２０）を経た遊技球を研磨揚送装置（２）へ流出させる送出部（５０）とを上下に重ねて備え、
前記受入部（２０）は、底板（３０）の中央部の異物取出部（３１）と、その両外側の受入選別部（３５）とを備え、
前記異物取出部（３１）と前記受入選別部（３５）とは、前記両側の流入口（２１）から流入した遊技球を受け止めるよう略ハ字形に配された両側の緩衝板（２５）により仕切られ、
前記緩衝板（２５）は、異物（Ｂ）が前記受入選別部（３５）から前記異物取出部（３１）に移動できる程度の隙間（Ｓ）を前記底板（３０）との間に有するよう配設され、
前記受入選別部（３５）の底板（３０）には、遊技球を通過させて前記送出部（５０）に流下させる程度の選別孔（３６）が複数穿設され、
前記送出部（５０）は、前記受入部（２０）の前記受入選別部（３５）の選別孔（３６）から流下した遊技球を前面の研磨揚送装置（２）へ誘導するよう配設されていることを特徴とする遊技球誘導装置（１０）。
【０００７】
［２］  遊技機島（１）の略中央下部に配設され、両側から流入した遊技球を前面の研磨揚送装置（２）の導入部（３）へ流出させるようにした遊技球誘導装置（１０）において、
流入する遊技球を受け入れる両側の流入口（２１）が接続する受入部（２０）と、該受入部（２０）を経た遊技球を研磨揚送装置（２）へ流出させる送出部（５０）とを上下に重ねて備え、
前記受入部（２０）は、底板（３０）の中央部の異物取出部（３１）と、その両外側の受入選別部（３５）とを備え、
前記異物取出部（３１）と前記受入選別部（３５）とは、前記両側の流入口（２１）から流入した遊技球を受け止めるよう略ハ字形に配された両側の緩衝板（２５）により仕切られ、
前記緩衝板（２５）は、異物（Ｂ）が前記受入選別部（３５）から前記異物取出部（３１）に移動できる程度の隙間（Ｓ）を前記底板（３０）との間に有するよう配設され、
前記受入選別部（３５）の底板（３０）には、遊技球を通過させて前記送出部（５０）に流下させる程度で、前記流入口（２１）に近い入口側は内径が小さく後流は内径を大きくした選別孔（３６）が複数穿設され、
前記送出部（５０）は、前記受入部（２０）の前記受入選別部（３５）の選別孔（３６）から流下した遊技球を前面の研磨揚送装置（２）へ誘導するよう配設されていることを特徴とする遊技球誘導装置（１０）。
【０００８】
［３］  項１または２記載の遊技球誘導装置（１０）において、
前記送出部（５０）は、前記受入選別部（３５）から流下した遊技球を中央部の送出案内部（５５）へ誘導する誘導路（５１）を備え、該送出案内部（５５）は前記異物取出部（３１）の下方にあって遊技球の流下しない位置に配設されていることを特徴とする遊技球誘導装置（１０）。
【０００９】
［４］  項３記載の遊技球誘導装置（１０）において、
前記誘導路（５１）は、前記受入選別部（３５）の下方に位置する受止部（５２）から送出案内部（５５）にかけて傾斜しており、該受止部（５２）から送出案内部（５５）に遊技球の向きを変える方向転換部（５３）を備えていることを特徴とする遊技球誘導装置（１０）。
【００１０】
［５］  項１または２記載の遊技球誘導装置（１０）において、
前記受入部（２０）は、前記送出部（５０）を露出させるよう底板（３０）とともに開閉可能となっていることを特徴とする遊技球誘導装置（１０）。
【００１１】
［６］  項１、２または５記載の遊技球誘導装置（１０）において、
前記受入部（２０）は、上部から内部の異物（Ｂ）を取出し可能な取出口（２３）を有するカバー部材（２２）を備えていることを特徴とする遊技球誘導装置（１０）。
【００１２】
前記本発明は次のように作用する。  
遊技機島（１）の略中央下部に配設された遊技球誘導装置（１０）は、両側の回収樋（Ａ）から流入した遊技球を前面の研磨揚送装置（２）の導入部（３）へ流出させる。流入する遊技球は両側の流入口（２１）から受け入れられ、受入部（２０）を経た遊技球は下段の送出部（５０）に落下してから研磨揚送装置（２）へ流出する。
【００１３】
受入部（２０）では、流入した遊技球は底板（３０）の両外側の受入選別部（３５）に流入するが、その際、受入部（２０）を仕切るよう略ハ字形に配された両側の緩衝板（２５）により遊技球が受け止められ、両側から流入する遊技球が完全に遮断されるので、無用にぶつかり合うことがない。受入部（２０）は、底板（３０）とともに開閉可能であり、開いたとき送出部（５０）を露出させて点検や保守をすることができる。また、受入部（２０）では、上部のカバー部材（２２）の取出口（２３）から内部の異物（Ｂ）を取出すことができる。
【００１４】
緩衝板（２５）は、異物（Ｂ）が受入選別部（３５）から異物取出部（３１）に移動できる程度の隙間（Ｓ）を底板（３０）との間に有しているので、遊技球と一緒にコイン等の異物（Ｂ）が混入した場合、この隙間（Ｓ）から異物（Ｂ）だけが異物取出部（３１）に移動する。これにより、受入選別部（３５）が異物（Ｂ）で機能を害されることがない。
【００１５】
受入選別部（３５）では、遊技球を通過させて送出部（５０）に流下させる程度で、流入口（２１）に近い入口側は内径が小さく後流は内径を大きくした選別孔（３６）を通って遊技球が選別落下する。これにより、遊技球は受入選別部（３５）の底板（３０）全体に行き渡って選別され、偏ることがない。
【００１６】
受入選別部（３５）では、遊技球は、複数の選別孔（３６）を通過して送出部（５０）に流下する。送出部（５０）では、受入部（２０）の受入選別部（３５）の選別孔（３６）から流下して選別された遊技球を前面の研磨揚送装置（２）へ誘導する。
【００１７】
送出部（５０）では、受入選別部（３５）から流下した遊技球を誘導路（５１）で受け、中央部の送出案内部（５５）へ誘導する。送出案内部（５５）は異物取出部（３１）の下方にあって遊技球の流下しない位置に配設されているので、落下してくる遊技球で乱されることがない。誘導路（５１）では、受入選別部（３５）の下方に位置する受止部（５２）から送出案内部（５５）にかけた傾斜により遊技球を移動案内する。その際、方向転換部（５３）により受止部（５２）から送出案内部（５５）に遊技球の向きを変える。向きを変えられた遊技球は前面の研磨揚送装置（２）の導入部（３）へ流出される。
【発明の効果】
【００１８】
本発明にかかる遊技球誘導装置によれば、受入部を仕切るよう略ハ字形に配された両側の緩衝板により遊技球が受け止められ、両側から流入する遊技球が完全に遮断されるので、無用にぶつかり合うことがない。緩衝板の両側の受入選別部の選別孔で遊技球が別々に選別されるので、遊技球は整然と円滑に移動する。流入口に近い入口側は内径が小さく後流は内径を大きくした選別孔としたものは、遊技球が受入選別部の底板全体に行き渡って選別され、偏ることがない。送出部では、送出案内部に遊技球が直接落下することがないので、遊技球は整然と円滑に移動する。両側から流入する遊技球をそれぞれの側で選別してから案内して流出させるようにしたから、遊技球がぶつかり合って乱れることがなく、整然と案内され、円滑に移動する。
【発明を実施するための最良の形態】
【００１９】
以下、図面に基づき本発明の好適な一実施の形態を説明する。
図１〜図８は本発明の一実施の形態を示している。  
図７および図８でわかるように、遊技球誘導装置１０は、遊技機島１の略中央下部に配設され、両側から流入した遊技球を前面の研磨揚送装置２の導入部３へ流出させるものである。
【００２０】
図６および図７でわかるように、遊技球誘導装置１０は、両側の回収樋Ａ，Ａから流入する遊技球を受け入れる両側の流入口２１，２１が接続する受入部２０と、受入部２０を経た遊技球を研磨揚送装置２へ流出させる送出部５０とを上下に重ねて備えて成る。
【００２１】
図１および図２、図４でわかるように、受入部２０は、送出部５０を露出させるよう底板３０とともに開閉可能となっており、上部から内部の異物Ｂを取出し可能な取出口２３を有するカバー部材２２を備えている。
【００２２】
受入部２０は、障害時に内部を点検できるよう開閉可能な開閉部であり、受入部２０が開いたとき、流入口２１に突出して流路を塞ぐストッパ部材４０が設けられている。
【００２３】
図１〜図５でわかるように、ストッパ部材４０は、受入部２０の流入口２１を臨んで出没可能に配設され、開閉部である受入部２０がストッパ部材４０に当接して閉じているときは流入口２１を開き、開閉部である受入部２０が開かれてストッパ部材４０から離れているときは付勢力により突出して流入口２１を塞ぐよう配設されている。
【００２４】
ストッパ部材４０は、支持ブラケット４１が受入部２０の流入口２１に固設され、支持ブラケット４１にストッパ板４５が受入部２０の両側の流入口２１を臨んで出没可能に軸ピン４２により支持ブラケット４１に枢支されている。ストッパ板４５は先端４６が一番高く、両側に向かい低くなるよう傾斜している。ストッパ板４５は、ばね４３により、ストッパ板４５が流路に突出するよう付勢されている。
【００２５】
そして、開閉部である受入部２０がストッパ部材４０のストッパ板４５の先端４６に当接して閉じているときは、ストッパ板４５は没入していて流入口２１を開き、開閉部である受入部２０が開かれてストッパ部材４０から離れているときはばね４３の付勢力により回動して突出し流入口２１を塞ぐよう配設されている。
【００２６】
受入部２０は、底板３０の中央部の異物取出部３１と、その両外側の受入選別部３５、３５とを備えており、異物取出部３１と受入選別部３５とは、両側の流入口２１から流入した遊技球を受け止めるよう略ハ字形に配された両側の緩衝板２５、２５により仕切られている。
【００２７】
緩衝板２５は、異物Ｂが受入選別部３５から異物取出部３１に移動できる程度の隙間Ｓを底板３０との間に有するよう配設されている（図１２、図１３参照）。
【００２８】
受入選別部３５の底板３０には、遊技球を通過させて送出部５０に流下させる程度で、流入口２１に近い入口側は内径が小さい選別孔３６ａ、３６ａ…が穿設され、後流には、内径を大きくした選別孔３６ｂ、３６ｂ…が複数穿設されている。
【００２９】
図６でわかるように、下段の送出部５０は、受入部２０の受入選別部３５の選別孔３６から流下した遊技球を前面の研磨揚送装置２へ誘導するよう配設されている。送出部５０は、受入選別部３５の選別孔３６ａ、ｂ…から流下した遊技球を中央部の送出案内部５５へ誘導する誘導路５１、５１を両側に備え、送出案内部５５が異物取出部３１の下方にあって遊技球の流下しない位置に配設されている。
【００３０】
誘導路５１は、受入選別部３５の下方に位置する両側の受止部５２から送出案内部５５にかけて傾斜しており、受止部５２から送出案内部５５に遊技球の向きを変える複数のレール５４、５４…から成る方向転換部５３、５３を両側に備えている。また、出口には送出レール５６が設けられている。
【００３１】
次に作用を説明する。  
図９〜図１３でわかるように、遊技機島１の略中央下部に配設された遊技球誘導装置１０は、両側の回収樋Ａ，Ａから流入した遊技球を前面の研磨揚送装置２の導入部３へ流出させる。流入する遊技球は両側の流入口２１から受け入れられ、受入部２０を経た遊技球は下段の送出部５０に落下してから研磨揚送装置２へ流出する。
【００３２】
受入部２０では、流入した遊技球は底板３０の両外側の受入選別部３５に流入するが、その際、受入部２０を仕切るよう略ハ字形に配された両側の緩衝板２５により遊技球が受け止められ、両側から流入する遊技球が完全に遮断されるので、無用にぶつかり合うことがない（図９参照）。受入部２０は、底板３０とともに開閉可能であり、開いたとき送出部５０を露出させて点検や保守をすることができる。
【００３３】
また、コイン等の異物Ｂが誤って侵入すると、異物Ｂは緩衝板２５の下の隙間Ｓから異物取出部３１に移動する。受入部２０では、上部のカバー部材２２の取出口２３から内部の異物Ｂを取出すことができる。
【００３４】
つまり、緩衝板２５は、異物Ｂが受入選別部３５から異物取出部３１に移動できる程度の隙間Ｓを底板３０との間に有しているので、遊技球と一緒にコイン等の異物Ｂが混入した場合、この隙間Ｓから異物Ｂだけが異物取出部３１に移動する。これにより、受入選別部３５が異物Ｂで機能を害されることがない。
【００３５】
受入選別部３５では、遊技球を通過させて送出部５０に流下させる程度で、流入口２１に近い入口側は内径が小さく後流は内径を大きくした選別孔３６を通って遊技球が選別落下する。つまり、遊技球は、初めは選別孔３６ａ，３６ａから落ちるが、これらは内径が小さいので、あるものは通り過ぎて選別孔３６ｂ，３６ｂに達してそこから落ちる。これにより、遊技球は受入選別部３５の底板３０全体に行き渡って選別され、偏ることがない。
【００３６】
受入選別部３５では、遊技球は、複数の選別孔３６ａ，ｂ…を通過して送出部５０に流下する。送出部５０では、受入部２０の受入選別部３５の選別孔３６から流下して選別された遊技球を前面の研磨揚送装置２へ誘導する。
【００３７】
受入部２０は、開閉部をなしていて、障害時に内部を点検できるよう開閉可能であり、受入部２０を開くと、ストッパ部材４０が流入口２１に突出して流路を塞ぐので、流入口２１に流入しようとした遊技球がせき止められ、速やかに点検や保守作業に入ることができる。
【００３８】
要するに、遊技機島１の略中央下部に配設された遊技球誘導装置１０は、両側の流入口２１から受け入れた遊技球を導いて前面の研磨揚送装置２の導入部３へ流出させる。障害時には、開閉部である受入部２０を開いて内部を点検する。開閉部である受入部２０が開いたとき、ストッパ部材４０が流入口２１に突出して流路を塞ぐので、流入口２１に流入しようとした遊技球がせき止められ、速やかに点検や保守作業に入ることができる。
【００３９】
ストッパ部材４０は、受入部２０の流入口２１を臨んで出没可能であり、開閉部である受入部２０がストッパ部材４０に当接して閉じているときは流入口２１を開き、開閉部である受入部２０が開かれてストッパ部材４０から離れると付勢力により流入口２１をせき止めるよう突出して流入口２１を塞ぐ。
【００４０】
受入部２０が開かれる際、ストッパ部材４０のストッパ板４５は先端４６から流路内に突出するが、先端４６が高くなっているので、流れている遊技球の間に抵抗なく突出することができる。
【００４１】
ストッパ部材４０が、受入部２０の流入口２１を臨んで出没可能に枢支して配設されたものは、開閉部である受入部２０がストッパ部材４０の先端に当接して閉じているときは没入していて流入口２１が開いており、開閉部である受入部２０が開かれてストッパ部材４０から離れているときは付勢力により回動して突出し流入口２１を塞ぐ。
【００４２】
送出部５０では、受入選別部３５から流下した遊技球を誘導路５１で受け、中央部の送出案内部５５へ誘導する。送出案内部５５は異物取出部３１の下方にあって遊技球の流下しない位置に配設されているので、落下してくる遊技球で乱されることがない。誘導路５１では、受入選別部３５の下方に位置する受止部５２から送出案内部５５にかけた傾斜により遊技球を移動案内する。
【００４３】
その際、方向転換部５３により受止部５２から送出案内部５５に遊技球の向きを変える。向きを変えられた遊技球は送出レール５６から流出し、前面の研磨揚送装置２の導入部３へ送出される。
【図面の簡単な説明】
【００４４】
【図１】本発明の一実施の形態に係る遊技球誘導装置を示す斜視図である。
【図２】本発明の一実施の形態に係る遊技球誘導装置を示す平面図である。
【図３】本発明の一実施の形態に係る遊技球誘導装置のストッパ部材を示す説明斜視図である。
【図４】本発明の一実施の形態に係る遊技球誘導装置のストッパ部材を示す説明斜視図である。
【図５】本発明の一実施の形態に係る遊技球誘導装置のストッパ部材を示す説明斜視図である。
【図６】本発明の一実施の形態に係る遊技球誘導装置の受入部を開いた状態を示す斜視図である。
【図７】本発明の一実施の形態に係る遊技球誘導装置を設置した遊技機島を示す正面図である。
【図８】本発明の一実施の形態に係る遊技球誘導装置が接続する研磨揚送装置を示す説明断面図である。
【図９】本発明の一実施の形態に係る遊技球誘導装置の作用を説明する平面図である。
【図１０】本発明の一実施の形態に係る遊技球誘導装置の作用を説明する正面図である。
【図１１】本発明の一実施の形態に係る遊技球誘導装置の作用を説明する平面図である。
【図１２】本発明の一実施の形態に係る遊技球誘導装置の作用を説明する要部平面図である。
【図１３】本発明の一実施の形態に係る遊技球誘導装置の作用を説明する要部正面図である。
【符号の説明】
【００４５】
Ａ…回収樋
Ｂ…異物
Ｓ…隙間
１…遊技機島
２…研磨揚送装置
３…導入部
１０…遊技球誘導装置
２０…受入部
２１…流入口
２２…カバー部材
２３…取出口
２５…緩衝板
３０…底板
３１…異物取出部
３５…受入選別部
３６…選別孔
４０…ストッパ部材
４１…支持ブラケット
４２…軸ピン
４３…ばね
４５…ストッパ板
４６…先端
５０…送出部
５１…誘導路
５２…受止部
５３…方向転換部
５４…レール
５５…送出案内部
５６…送出レール
【図１】
2005152386.tif 000003
【図２】
2005152386.tif 000004
【図３】
2005152386.tif 000005
【図４】
2005152386.tif 000006
【図５】
2005152386.tif 000007
【図６】
2005152386.tif 000008
【図７】
2005152386.tif 000009
【図８】
2005152386.tif 000010
【図９】
2005152386.tif 000011
【図１０】
2005152386.tif 000012
【図１１】
2005152386.tif 000013
【図１２】
2005152386.tif 000014
【図１３】
2005152386.tif 000015